(57)【要約】【課題】  かご枠上部に設置された案内手段の着脱や保守点検を制限することなくかご枠の高さ寸法を縮小できてヘッドクリアランスの縮小が行えるエレベータ用乗りかごを提供する。【解決手段】  案内手段１２を上部に設けたかご枠１０にかご室６を支持し、このかご室６を構成する天井２の周縁部とかご枠１０の間に防振手段１１を介在させると共に、防振手段１１を天井２とかご側板４の接続部よりも下側にして取り付ける。【効果】  案内手段１２の背面側に作業空間Ｂが確保できると共に、かご枠１０の高さ寸法が縮小によりヘッドクリアランスを縮小することができる。【選択図】図９
2008273649.tif 000002
【特許請求の範囲】
【請求項１】
昇降路内に敷設されたガイドレールと係合する案内手段を上部に設けたかご枠と、かご側板と天井を有し前記かご枠に支持されたかご室と、前記かご枠と前記かご室の間に介在する防振手段と、を備えるエレベータ用乗りかごにおいて、
前記防振手段を、前記かご側板と前記天井との接続部に設けることを特徴とするエレベータ用乗りかご。
【請求項２】
請求項１において、前記防振手段は、前記かご側板と前記天井との前記接続部よりも下方に位置することを特徴とするエレベータ用乗りかご。
【発明の詳細な説明】
【技術分野】
【０００１】
本発明はエレベータ用乗りかごに係り、特に、かご枠の高さ寸法を縮小するのに好適なエレベータ用乗りかごに関する。
【背景技術】
【０００２】
一般に乗りかごは、図１〜図５に示すように構成されている。即ち、床板５と、この床板５の周縁部から立設したかご側板４と、かご側板４の頂部を塞ぎ形成された天井２と、かご側板４の一部に形成した出入口７とを有するかご室６と、を備える。また、かご室６の出入口７に隣接する左右のかご側板４にそれぞれ隙間を持って対向する左右一対の縦枠３Ａ，３Ｂと、縦枠３Ａ，３Ｂの上端部を連結するクロスヘッド８と、縦枠３Ａ，３Ｂの下端部を連結する下枠９とを有するかご枠１０を備えている。かご枠１０の下枠９上にかご室６を搭載し、天井２の周縁部の一部を上側に折曲げ、この上側に折曲げた折曲げ部分２Ａと左右一対の縦枠３Ａ，３Ｂとの間に防振手段１１を介在させる。かつ左右一対の縦枠３Ａ，３Ｂの上下部に夫々昇降路内に敷設されたガイドレールと係合する案内手段１２を設けている。
【０００３】
尚、参考技術として特許文献１が挙げられる。
【０００４】
【特許文献１】特開２００２−２７４７６９号公報
【発明の開示】
【発明が解決しようとする課題】
【０００５】
上記構成のエレベータ用乗りかごを備えたエレベータ設備の建屋への影響を少なくするために、乗りかごが昇降路の最頂階に停止しているときに、乗りかご頂部と昇降路天井との間隔、即ち、ヘッドクリアランスを可能な限り縮小することが望まれている。
【０００６】
そのために、縦枠３Ａ，３Ｂの高さ寸法を縮小することで、ヘッドクリアランスの縮小を図ることが考えられるが、縦枠３の高さ寸法を低くすると、それに伴って上部の案内手段１２の設置位置も下方に変位する。このために、防振手段１１を支持する前記天井２の上側への折曲げ部２Ａが、上部の案内手段１２の背面側を塞ぐ状態とになり、背面側に確保した作業空間Ｂ部からの案内手段１２の着脱や保守点検を非常に困難なものにしてしまう。
【０００７】
また、防振手段１１と縦枠３Ａ，３Ｂの間に、調整ライナ１３を着脱することにより隙間を調整する。このため、エレベータの据付作業が繁雑になる。
【０００８】
本発明の目的は、かご枠上部に設置された案内手段の着脱や保守点検を制限することなくかご枠の高さ寸法を縮小できてヘッドクリアランスを縮小することができ、さらに縦枠との隙間調整作業を軽減したエレベータ用乗りかごを提供することにある。
【課題を解決するための手段】
【０００９】
本発明によるエレベータ用乗りかごでは、上記目的を達成するために、案内手段を上部に設けたかご枠にかご室を支持し、かご室を構成する天井とかご枠との間に防振手段を介在させると共に、防振手段を天井とかご側板の接続部分に取付ける。
【００１０】
このように構成することで、案内手段の背面側には防振手段を支持する部材がなくなるので、案内手段の背面側に作業空間を確保することができると共に、かご枠の高さ寸法が縮小できるのでヘッドクリアランスを縮小することができる。
【発明の効果】
【００１１】
本発明によれば、かご枠上部に設置された案内手段の着脱や保守点検を制限することなく、かご枠の高さ寸法を縮小できてヘッドクリアランスの縮小が行えるエレベータ用乗りかごを得ることができる。
【発明を実施するための最良の形態】
【００１２】
以下本発明によるエレベータ用乗りかごの一実施形態を図６〜図１１に基づいて説明する。
【００１３】
尚、本実施の形態における乗りかごの基本構成は、図１〜図５に示す従来の乗りかごの構成と同じであるので再度の説明は省略し、ここでは主に従来の乗りかごと異なる構成について説明する。
【００１４】
図１〜図５と異なる点は、左右一対の縦枠３Ａ，３Ｂの高さ寸法を縮小するものである。本実施例においては、従来よりも７０〜１２０mm程度縮小することができる。このように、縦枠３Ａ，３Ｂの高さ寸法を縮小することで、縦枠３Ａ，３Ｂの上端部に支持された上部の案内手段１２の位置も、下方すなわち天井に近づく方向に変位する。ただし、案内手段１２は、従来と同様にかご側板４の上端よりも上方に位置する。天井２の周縁部は、上側に折り曲げず、水平部を有し、この水平部がかご側板４の上端に固定される。天井とかご側板４の接続部に、防振手段１１が、天井２とかご側板４の接続部よりも下側に位置するように取付けし、縦枠３Ａ，３Ｂとの接触部を防振する。図１１に示すように、防振手段１１においては、Ｌ字状に折り曲げられた板材からなる支持体１６の表面に防振用ゴム部１５が接着剤などによって固定されている。防振手段１１は部材２０に固定されるが、その際、防振用ゴム部１５の表面が縦枠の表面と対向するように、支持体１６が部材２０に固着される。部材２０は、ナット２３が固定されかご側板４の上端に接する水平部２１と、この水平部２１に対し天井とかご側板の接続部から下側に向かって略垂直に折り曲げられた垂直部分２２とを備える。部材２０は、ナット２３とボルトによって、かご側板４の上端部における天井２とかご側板４の接続部に固定される。これによって、防振手段１１は、かご側板４の上端部における天井とかご側板の接続部よりも下側に位置することになる。
【００１５】
これにより、図９に示すように、案内手段１２の背面側に作業空間Ｂ部が形成されるので、この作業空間を利用して案内手段１２の着脱作業や保守点検作業を行うことができる。
【００１６】
従って、本実施の形態によれば、かご枠１０の上部に設置された案内手段１２の着脱や保守点検を制限することなく、かご枠１０の高さ寸法を縮小できるので、ヘッドクリアランスを縮小することができる。
【００１７】
また、防振手段１１を取付けるにあたり、図１０のようにボルト１４にて取り付けるが、取付け部の穴を乗り場に対して左右方向長穴、もしくはボルト１４に対して調整可能な分大きく穴明けし、この穴とボルト１４の差分で縦枠３Ａと３Ｂと防振手段１１との隙間調整を行うことができる。
【００１８】
そのため、かご枠とかご室を組立てた際、左右のかご枠と防振部の隙間を均等にするための調整に対し、前記防振手段自体の取付け位置を調整することにより、これまで使用していた調整ライナ１３（図５）を不要にし、現地据付作業を省力化することができる。
【００１９】
なお、防振用ゴムの外、各種樹脂あるいは弾性を有する金属などを適用することができる。また、支持体１６に固定される防振用ゴムの形状も上記実施形態に限らず、支持体１６の表面に部分的に設けるような形態でも良い。
【図面の簡単な説明】
【００２０】
【図１】従来のエレベータ用乗りかごを示す側面図。
【図２】図１の正面図。
【図３】図１の乗りかごの縦枠と天井、防振手段周りを示す側面図。
【図４】図３の正面図。
【図５】図１の乗りかごの縦枠と案内手段と防振手段との位置関係を示す拡大図。
【図６】本発明の一実施形態であるエレベータ用乗りかごを示す側面図。（図１相当）
【図７】図６の正面図。（図２相当）
【図８】本発明のエレベータ用乗りかごの実施の形態による乗りかごの縦枠と天井、防振手段周りを示す側面図。（図３相当）
【図９】図８の正面図。（図４相当）
【図１０】図６の乗りかごの縦枠と案内手段との位置関係を示す拡大図。（図５相当）
【図１１】防振手段部品図。
【符号の説明】
【００２１】
１，１０  かご枠
２  天井
３，３Ａ，３Ｂ  縦枠
４  かご側板
５  床板
６  かご室
７  出入口
８  クロスヘッド
９  下枠
１１  防振手段
１２  案内手段
１３  調整ライナ
１４  ボルト
１５  防振用ゴム部
【図１】
2008273649.tif 000003
【図２】
2008273649.tif 000004
【図３】
2008273649.tif 000005
【図４】
2008273649.tif 000006
【図５】
2008273649.tif 000007
【図６】
2008273649.tif 000008
【図７】
2008273649.tif 000009
【図８】
2008273649.tif 000010
【図９】
2008273649.tif 000011
【図１０】
2008273649.tif 000012
【図１１】
2008273649.tif 000013